(57)【要約】【課題】極めて簡単な構成でありながら、ボルトを軸の中心方向に連続的に締付けを調整して最適状態で強固に締付けることができると共に、安価に製造加工ができる締付け具を提供する。【解決手段】ボルト１の外周にほぼ半筒形の一対のナット片２、３を被せて外周から締付けるタイプのナットにおいて、一対のナット片２、３の相対向する一側辺を軸４にて回動自在に連結し、ナット片２、３の外周面に、両者でほぼ環状を構成する半円状の凹溝５、６を施し、ボルト１の雄ネジ７にナット片２、３の雌ネジ部８、９を螺合した状態で、上記凹溝５、６に、半円よりも長い弧を有する締付けばね１０を圧入させるようにした。【選択図】  図１
2004204860.tif 000002
【特許請求の範囲】
【請求項１】
ボルト１の外周にほぼ半筒形の一対のナット片２、３を被せて外周から締付けるタイプの締付け具において、一対のナット片２、３の相対向する一側辺を軸４にて回動自在に連結し、ナット片２、３の外周面に、両者でほぼ環状を構成する半円状の凹溝５、６を施し、ボルト１の雄ネジ７にナット片２、３の雌ネジ部８、９を螺合した状態で、上記凹溝５、６に、その凹溝５、６が構成する円の１／２よりも長い弧を有する締付けばね１０を圧入させるようにしたことを特徴とする締付け具。
【請求項２】
凹溝５、６に複数の締付けばね１０、１０・・・を圧入するようにして成ることを特徴とする請求項１に記載の締付け具。
【発明の詳細な説明】
【０００１】
【発明が属する技術分野】本発明は、２片に分割されたナット片を外周から締付けるタイプの締付け具において、締付け作業を容易に、しかも比較的安定した締付け強度を得ることが出来る締付け具に関する。
【０００２】
【従来の技術】一般に物体を螺合により取り付けるものとしてボルト・ナットがあって、多用されているが、図６のようにナット２１の雌ネジ２２の谷斜面にボルト２３の雄ネジ２４の山斜面を図の矢印方向（軸と平行な方向）に押しつけることにより固定しようとするものであるため、振動や経年変化により一旦緩むと歯止めが利かず、振動による緩みは避けられないものであった。これを解消しようとして種々の提案が出されているが、ダブルナットやワッシャに代表されるように軸方向に例えばバネ力を加えることにより緩みの原因である振動を吸収しようとするものがあるが、軸と平行な力で締めているため、一旦緩むと歯止めが利かず、一気に緩みが進行してしまう欠点があって、微細な振動でも緩みの原因になるため、頻繁な保守点検は避けられないものであった。
【０００３】また、これを解消するものとして本発明者らは既にいわゆる分割ナットを種々提案している。例えば、ナット片の外周に凹溝を施して、この溝の全周をバンドや針金で緊結するものを提案しているが、現場での締付け作業が少なからず面倒であり、また、締付けに個人差があって、締付け強度にばらつきが生じやすい欠点があった。
【０００４】
【発明が解決しようとする課題】本発明が解決しようとする問題点は、簡単な構造であるにも拘らず最適の締付け状態が得られ、しかも簡単な作業で締付けが行えるようにするものである。
【０００５】
【課題を解決するための手段】本発明は、ボルト１の外周にほぼ半筒形の一対のナット片２、３を被せて外周から締付けるタイプの締付け具において、一対のナット片２、３の相対向する一側辺を軸４にて回動自在に連結し、ナット片２、３の外周面に、両者でほぼ環状を構成する半円状の凹溝５、６を施し、ボルト１の雄ネジ７にナット片２、３の雌ネジ部８、９を螺合した状態で、上記凹溝５、６に、その凹溝５、６が構成する円の１／２よりもやや長い弧を有する締付けばね１０を圧入させるようにしたことを主たる特徴とする。
【０００６】
【発明の実施の形態】図１のように、ナット片２、３は内周に雌ネジ部８、９を有するもので、その相対向する一側辺を軸４にて回動自在に 枢支し、相対向する他側辺は開閉自在に構成され、ナット片２、３が略閉じた状態で雌ネジ部８、９がボルト１の雄ネジ７に螺合できる。
【０００７】ナット片２、３の外周には、その周方法に沿って、ほぼ半円状の凹溝５、６が形成され、ナット片２、３を閉じたときに、凹溝５、６でほぼ環状の溝が形成されるようになっている。
【０００８】雌ネジ部８、９はナット片２、３が閉じた状態でのボルト１の雄ネジ7に螺合されるもので、ナット片２、３の開口側は雄ネジ７に螺合した状態で側端が密着せず、若干の隙間が形成される。
【０００９】締付けばね１０は、ボルト１の雄ネジ７にナット片２、３の雌ネジ部８、９を巻き付けた状態でその外周の凹溝５、６に圧入されるもので、略Ω形のばね材で形成される。この締付けばね１０の自然状態での弧の内周半径をｒ、雄ネジ７に巻き付けた状態でのナット片２、３の凹溝５、６の溝底が形成する円の半径をRとすると、半径ｒは半径Rよりも幾分小さく設定される（図４(ｃ)(ｄ)参照）。
【００１０】また、締付けばね１０の弧の長さは、上記凹溝５、６に締付けばね１０を圧入した状態で、凹溝５、６が形成する円の１／２よりも幾分長く設定される。１／２よりも長ければ、略円に近いくらいの長さまでの間で目的に応じて選定することが出来る。その端部には必要に応じ、圧入ガイド及び外す場合の掴み部となる折り返し１１、１２が形成される。折り返し１１、１２は凹溝５、６から突出しないサイズにするのが好ましい。
【００１１】図３は他の実施例を示すもので、凹溝５、６に複数の締付けばね１０、１０・・・を圧入するようにしてある。
この場合、凹溝５、６は単一溝を幅広にして対応してもよいが、図のように締付けばね１０、10・・・の数に応じて複数の凹溝5、5・・・、6、6・・・を設けるのが好ましい。この場合、複数の締付けばねの圧入方向は同一であっても良いし、逆にしておいても良い。
【００１２】締付けばね１０の締付け強度は、上記半径ｒ、Ｒの差分、ばね素材の材質、太さで種々に設定できる。また、ばね素材は、ステンレス、鋼、燐青銅等の金属、或いは、軽負荷の用途では、プラスチック素材や、適宜複合素材を用いることが出来る。素材形状は線材のほか、帯材でも良い。また、２本以上の締付けばねを併用する場合は、そのバネ強度と数で締付け強度を調整することも出来る。
【００１３】尚、凹溝５、６は略円状に形成するのが好ましいが、必要に応じて六角、四角等可能である。その場合でも角に丸みを持たせるのが良い。また、凹溝５、６の低部の適所と、それに対応して折り返し１１、１２付近に互いに係合する凹凸を形成しておくと、圧入された締付けばね１０にロックが掛かり、締付けの外れ、緩み等が防止できる。
【００１４】図4は本発明の作用を説明するもので、（ａ）のように軸４を中心にしてナット片２、３を矢印方向に開き、これを矢印のようにボルト1の締付け箇所付近に被せ、（ｂ）のように仮止めする。次いで（ｃ）のように締付けばね１０を矢印方向より凹溝５、６に圧入するもので、圧入後は（ｄ）のように矢印のばね復元力により、ナット片２、３の開口端が近接し、雄ネジ７に雌ネジ部８、９が密着する。
【００１５】ここで、締付けばね１０を圧入する前は図５（ａ）のように雄ネジ７と雌ネジ部８、９との間には遊びがあるが、所定の位置で締付けばね１０を圧入した後は、（ｂ）のように雌ネジ部８、９は雄ネジ７に密着し、軸の中心に向かう方向に締付けられるのである。
【００１６】
【発明の効果】本発明にあっては、一対のナット片２、３の相対向する一側辺を軸４にて回動自在に連結し、ナット片２、３の外周面に、両者でほぼ環状を構成する半円状の凹溝５、６を施し、ボルト１の雄ネジ７にナット片２、３の雌ネジ部８、９を螺合した状態で、上記凹溝５、６に、半円よりも長い弧を有する締付けばね１０を圧入させるようにしたから、雌雄ネジ部は互いにその山と谷がほぼ全面で密着するように強固に螺合でき、しかも締付けるに当たり、締付けばねの圧入だけの簡単な作業で締結作業が行える利点がある。
【００１７】また、所定の締付けばね１０を用いるので、締付け強度が一定に設定でき、締付け不足による締付け強度の不足、或いは締付け過ぎによる素材の損傷、疲労による結束部の緩みが防止できるものであって、作業者による締付け強度のばらつきが極めて少なくなる。しかも常にばね力をナット片に与えているから、過負荷で一瞬螺合部が緩みかけても、ばね力でナット片のボルトとの密着状態に直ちに復帰するので、それ以上緩みの進行することが防止できる。
【００１８】また、大きなばね力の締付けばねを用いればナット片２、３大きな締付け力が期待できるが、圧入時に大きな力が必要となって、操作性が低下することは否めない。しかしながら、請求項２のように凹溝５、６に複数の締付けばね１０、１０・・・を圧入するようにしておくと、弱いばね力の締付けばね１０を用いても、大きな締付け力が確保でき、作業性の向上を図ることが出来る。
【図面の簡単な説明】
【図１】本発明の一実施例の分解斜視図。
【図２】同上の見る角度を変えた斜視図。
【図３】同上の他の実施例の断面図。
【図４】同上の取り付け作業を示す説明図。
【図５】同上の作用説明図。
【図６】従来例の作用説明図。
【符号の説明】
１  ボルト
２  ナット片
３  ナット片
４  軸
５  凹溝
６  凹溝
７  ボルト
８  雌ネジ部
９  雌ネジ部
１０  締付けばね
【図１】
2004204860.tif 000003
【図２】
2004204860.tif 000004
【図３】
2004204860.tif 000005
【図４】
2004204860.tif 000006
【図５】
2004204860.tif 000007
【図６】
2004204860.tif 000008